Podtech/llm-jp-corpus-v4-ja_patent huggingface dataset:
(57)【特許請求の範囲】
【請求項１】
四角形筒体(１)の対面する面に、楕円形状の入穴(２)と半楕円形状の奥穴(３)との対を上下に複数段設け、各対において、奥穴(３)は入穴(２)よりも斜め下に位置し、入穴(２)から挿入した収納物(４)を、入穴(２)と奥穴(３)の底縁(５)とで支えて斜めに陳列する事を特徴とした穴支え陳列構造。
【発明の詳細な説明】
【０００１】
【発明の属する技術分野】
本発明は斜め挿入陳列構造に関する。
【０００２】
【従来の技術】
従来の斜め挿入陳列構造は、実公昭６１−３４２２号で示したディスプレイ用組立ケースで示す様に、支柱壁１７から傾斜前壁１６を折り起して、展示商品Hを収納する為の差込口１８を開口する構造の物であった。
【０００３】
【発明が解決しようとする課題】
従来の技術は、多数延設された傾斜前壁の各々は互いに傾斜しており、傾斜前壁を挟んだ両側の折り起し線は断続的に傾斜した位置関係で並んでいる事から、傾斜前壁は折り起し難いものであった。本発明では、前記従来技術の問題解決をする為、折り起し線を同一線にまとめる事で折り起こしのし易い斜め挿入陳列構造の提供を目的とする。
【０００４】
【課題を解決するための手段】
前記目的を解決する為、四本の山折線を山折して四角形の筒体を形成し、前記筒体の対面する側面の一方の側面に入穴を開け、他方の側面に奥穴を開け、奥穴は入穴に対して斜め下に位置しているので、斜めに挿入された収納物を入穴と奥穴とで支えて斜め状態で陳列する。
【０００５】
【発明の実施の形態】
本発明物は、厚紙或いは段ボール紙を素材に用いて製造し、正面背面(前後)上下(天地)左右などの位置関係は組立完了状態で正面からを基準にして表示し、山折谷折で記述する折曲げ方向は外側からを基準にして表示する。
【０００６】
要部透視背面部分斜視図の図１に於いて、四箇所を山折する事で形成した筒体１の側面に於いて、一方に入穴２を打ち抜き、他方に奥穴３を打ち抜き、収納物４は入穴２から挿入して奥穴３まで達し、前記収納物４は入穴２と奥穴３との二箇所で支えられ、奥穴３は入穴２よりも斜め下に位置する事で収納物４は斜めに差し込まれた状態で固定され、展示商品である収納物４の形状は限定ではないが、説明上具体的な形状を述べるならば、前後に薄く左右に長い楕円形状とし、よって筒体１の形状も左右幅に対して前後の厚みは薄くなり、筒体１の前後幅を収納物４の前後幅に遊びを加えた同寸にする事で筒体１の前後壁の内面に沿って収納物４はスムーズに挿入され、筒体１の左右幅を収納物４の左右幅より狭くする事で筒体１の内部に収納物４が落ち込むのを防止し、入穴２は収納物４の側面上部を斜めに切り取った断面に遊び形成の為一回り大きくした形状にする事から縦長の楕円形状にし、奥穴３は収納物４の側面下部を斜めに切り取った断面に遊びを加えた形状であっても良いが、前記収納物４の側面下部を斜めに切り取った断面形状の下半分程度を塞いで半楕円形状にし、前記塞ぎ領域の境界を底縁５とし、底縁５が収納物４の底面を支える事で収納物４が奥穴３から抜け出るのを防止し、奥穴３からは斜めに収納された事で上になる収納物４の底角領域が覗き出、入穴２からは収納物４の上部が覗き出る。
【０００７】
背面斜視図の図２に於いて、筒体１の形成は一つの陳列枠６に一本であっても両側に二本であっても良く、又、形成位置は正面であっても背面であっても良く、説明進行上具体的な記述が必要な為、筒体１を両側に二本背面部に形成した陳列枠１で説明するならば、前板７の両側に延設した面を背部に巻き込んで筒体１を形成し、筒体１の上部は天蓋８（通称キャラメル蓋）で下部は底片９の差し込みによって固定された底蓋１０で閉じる事で筒体１の立体化状態は固定され、筒体１は陳列枠６の両側に二本有している事から、筒体１どうしで互いに対面している側面を内側面とし、互いに外側を向いている側面を外側面とし、外側面に入穴２を打ち抜き、内側面に底穴３を打ち抜き、底穴３は上部だけの半楕円形状であって、底穴３の下辺を底縁５とし、入穴２から挿入した収納物４の底面中央は底縁５で塞き止められて支えられている。
【０００８】
正面斜視図の図３に於いて、両側に延設した筒体１を背面に位置付ける事で前板７はＰＲ面として活用でき、前板７の上端領域を告知面１１としてＰＲ面積を更に広げ、告知面１１の上端部に紐穴を開けて紐を通す事で吊り下げ型とする事が望ましく、前板７の両側を入穴２と同じ高さの位置で削り取って削除部１２を形成し、削除部１２の形成によって入穴２に挿入された収納物４を見せる為の面積を広げ、削除部１２は前板７の両側から削り取る事が望ましいのであるが、両側に達しない中間位置を打ち抜いて覗き窓の形状にしても良い。
【０００９】
展開正面図の図４に於いて、前板７の両側に山折線を介して筒体１を延設し、筒体１は天地に貫いた三本の平行な山折線によって左右に四区分され、前記四区分面の内最外部の面を接着片１３とし、前記の接着片１３を前板７両側背面に接着する事で筒体１は筒形状と成り、前記四区分面の内から二つ目の区分面の天縁に山折線を介して天蓋８を延設し、告知面１１の天縁を袋折して二重構造にする事で吊り下げ強度を向上させ、前板７の下縁に山折線を介して延設した底蓋１０の先縁（図面では下縁）に山折線を介して底片９を延設し、底片９には先縁から二本の切込１４を入れ、前記切込１４によって左右に三区分された両側の区分領域を筒形状に成った筒体１の下端部に差し込んで固定する。
【００１０】
【発明の効果】
前板の両側に山折線を介して延設した筒体は、筒体に入れられた平行な山折線を山折する事で製造及び組み立てが成されるので、断続する傾斜折線の折曲げよりも明らかに楽に行え、入穴と奥穴とで収納物を支え、入穴に対して奥穴を斜め下に位置付けた事で収納物を斜めに差し込んだ状態で固定する事ができる。
【図面の簡単な説明】
【図１】要部透視背面部分斜視図
【図２】背面斜視図
【図３】正面斜視図
【図４】展開正面図
【符号の説明】
１  筒体
２  入穴
３  奥穴
４  収納物
【図１】
0004554747.tif 000002
【図２】
0004554747.tif 000003
【図３】
0004554747.tif 000004
【図４】
0004554747.tif 000005